(57)【要約】【課題】真空吸着によるハンドリングを向上させ、回路基板に対するコア部材及びコア組み合わせ部材の取り付けを容易にするとともに、コア組み合わせ部材の高さ寸法の増大を抑え、またコア部材とコア組み合わせ部材との位置ずれも防止したコイル装置を構成する。【解決手段】回路基板４２にはコア脚挿通用孔１０ａ，１０ｂ，１０ｃが形成されている。このうち中央のコア脚挿通用孔１０ｂの周囲にはコイルパターン４３が形成されている。コア部材５４ａの３つのコア脚が上記コア脚挿通用孔１０ａ，１０ｂ，１０ｃに挿通され、コア部材５４ａとコア部材５４ｂとで回路基板４２が挟み込まれる。このコア部材５４ａとコア部材５４ｂは、コア組み合わせ部材７１によって組み合わさった状態で固定され、且つ回路基板４２に対して固定される。【選択図】図２
2010067626.tif 000002
【特許請求の範囲】
【請求項１】
回路基板に形成されているコイルパターンと、このコイルパターンを回路基板の表裏両側から挟み込む形態で前記コイルパターンに装備される一対のコア部材と、前記コイルパターンの形成領域に設けられて前記一対のコア部材の少なくとも一方に設けられるコア脚を挿通させるコア脚挿通用孔と、このコア脚挿通用孔を利用して前記一対のコア部材を組み合わせるコア組み合わせ部材とを有するコイル装置であって、
コア組み合わせ部材は、前記一対のコア部材のうち一方のコア部材のコア外表平面を押圧する基面部と、この基面部から前記コア部材のコア脚側面のコア脚伸長方向に沿う腕部と、当該腕部の先端に設けられ、他方のコア部材のコア外表平面を押圧する他方コア押圧部材と係合して、または他方のコア部材のコア外表平面と直接係合して、前記一対のコア部材を挟持する係合部と、前記基面部から前記コア端面の方向へ突出するとともに前記コア部材のコア端面に沿って延び、コア組み合わせ部材を回路基板に固定するコア組み合わせ部材固定片とを有して構成され、
前記コア組み合わせ部材固定片は、弾性を有し、当該コア組み合わせ部材固定片の先端が弾性圧力によって前記回路基板の表面を押圧して、前記コア組み合わせ部材を前記回路基板に固定することを特徴とするコイル装置。
【請求項２】
前記係合部は前記腕部の先端に内向きに設けられ他方のコア部材のコア外表平面を押圧し、前記基面部との間に前記一対のコア部材を挟持する爪部と、当該爪部の幅方向の両端に形成された、互いに対向するコア端面でコア部材を挟む突起部とから成る、請求項１に記載のコイル装置。
【請求項３】
前記他方コア押圧部材は、前記他方のコア部材のコア外表平面を覆う基面部を備えた、請求項１に記載のコイル装置。
【発明の詳細な説明】
【技術分野】
【０００１】
この発明は、トランスやチョークコイルとして機能するコイル装置に関するものである。
【背景技術】
【０００２】
回路基板に形成されているコイルパターンを回路基板の表裏両側から一対のコア部材で挟み込んだコイル装置が特許文献１に開示されている。
【０００３】
図１は特許文献１に示されているコイル装置の断面図及び側面図である。コア組み合わせ部材５は、基面部２０と、腕部２１と、コア固定用脚部２２とを有して構成されている。
【０００４】
基面部２０は、コア部材４ａの外表平面８ａを押圧する部分である。コア組み合わせ部材５のコア固定用脚部２２は、回路基板２の基板面を押圧してコア組み合わせ部材５を回路基板２に固定する。
コア固定用脚部２２には、その先端部に、回路基板２の基板面に当接する基板面当接部３０が設けられている。また、コア固定用脚部２２には基面部２０側に、ばね部３１が設けられている。このばね部３１は、基板面当接部３０を回路基板２の表面側に付勢するものである。
【０００５】
コア固定用脚部２２は、先端の基板面当接部３０がばね部３１による弾性圧力で回路基板２の表面を押圧することにより、コア組み合わせ部材５を回路基板２に固定する。
【特許文献１】特許第４１０００３６号公報
【発明の開示】
【発明が解決しようとする課題】
【０００６】
ところが特許文献１に示されているコイル装置においては、コア固定用脚部２２で回路基板２を上部から押圧するようにバネ部３１を備えているが、このバネ部３１がコア部材４ａ，４ｂ同士を組み合わせるための腕部２１のバネ部２４より上部に突出することになり、コア組み合せ部材の上面の平坦部が非常に狭く、実装時の真空吸着によるハンドリングが悪いという問題があった。
【０００７】
また、バネ部３１がコア部材４ａ，４ｂ同士を組み合わせるための腕部２１のバネ部２４より上部に突出することになり、回路基板２に対して構成するコイル装置１の高さが高くなるという問題があった。
【０００８】
特許文献１に示されている別の実施形態（第１の実施形態）ではコア固定用脚部先端の爪部２６を回路基板２の下面側に係合させるようにしているので、コイル装置全体の高さ寸法は小さくなるが、コア組み合わせ部材の腕部とともにコア固定用脚部を、回路基板に形成したコア脚挿通用孔に同時に挿入しなければならず、組み立て時の作用性が悪いという問題があった。
【０００９】
さらに、特許文献１のコイル装置では、コア組み合わせ部材の腕部の先端部に形成されている爪部２３がコア部材４ｂの平坦な外表平面に当接するだけであるので、コア組み合わせ部材５とコア部材４（４ａ，４ｂ）との、図１（Ａ）において紙面に垂直な方向への位置ずれが生じる問題もあった。
【００１０】
そこで、この発明の目的は、実装時の真空吸着によるハンドリング性を向上させ、回路基板に対するコア部材及びコア組み合わせ部材の取り付けを容易にするとともに、コア組み合わせ部材の高さ寸法の増大を抑え、またコア部材とコア組み合わせ部材との位置ずれも防止したコイル装置を提供することにある。
【課題を解決するための手段】
【００１１】
上記課題を解決するために、この発明は次のように構成する。
（１）回路基板に形成されているコイルパターンと、このコイルパターンを回路基板の表裏両側から挟み込む形態で前記コイルパターンに装備される一対のコア部材と、前記コイルパターンの形成領域に設けられて前記一対のコア部材の少なくとも一方に設けられるコア脚を挿通させるコア脚挿通用孔と、このコア脚挿通用孔を利用して前記一対のコア部材を組み合わせるコア組み合わせ部材とを有するコイル装置であって、
コア組み合わせ部材は、前記一対のコア部材のうち一方のコア部材のコア外表平面を押圧する基面部と、この基面部から前記コア部材のコア脚側面のコア脚伸長方向に沿う腕部と、当該腕部の先端に設けられ、他方のコア部材のコア外表平面を押圧する他方コア押圧部材と係合して、または他方のコア部材のコア外表平面と直接係合して、前記一対のコア部材を挟持する係合部と、前記基面部から前記コア端面の方向へ突出するとともに前記コア部材のコア端面に沿って延び、コア組み合わせ部材を回路基板に固定するコア組み合わせ部材固定片とを有して構成され、
前記コア組み合わせ部材固定片は、弾性を有し、当該コア組み合わせ部材固定片の先端が弾性圧力によって前記回路基板の表面を押圧して、前記コア組み合わせ部材を前記回路基板に固定することを特徴とする。
【００１２】
この構成により、基面部から腕部にかけて平坦面が広がるので実装時の真空吸引による吸着力が向上する。
【００１３】
また、基面部からコア部材のコア脚側面のコア脚伸長方向に沿う腕部とは独立してコア組み合わせ部材固定片を構成でき、このコア組み合わせ部材固定片をコア部材のコア端面に沿って延びるように設けることによって、コア組み合わせ部材の高さ寸法を増大することなく構成できる。
【００１４】
さらに、回路基板に設けられているコア脚挿通用孔には腕部のみ挿入すればよいので、組み立てが容易となり製造コストが削減できる。
【００１５】
（２）例えば、前記係合部は前記腕部の先端に内向きに設けられ他方のコア部材のコア外表平面を押圧し、前記基面部との間に前記一対のコア部材を挟持する爪部と、当該爪部の幅方向の両端に形成された、互いに対向するコア端面でコア部材を挟む突起部とから構成する。
【００１６】
これにより、突起部がコア部材をその端面で挟み込むことになり、コア組み合わせ部材に対するコア部材の位置ずれを防止することができる。
【００１７】
（３）例えば、前記他方コア押圧部材は、前記他方のコア部材のコア外表平面を覆う基面部を備えたものとする。
【００１８】
これにより、裏面側（他方コア押圧部材側）にも平坦面が広がるので、裏面側の真空吸引による吸着も可能となる。また、対をなすコア部材の外面がコア組み合わせ部材及び他方コア押圧部材で覆われることになり、マウンタによる吸着時の衝撃でコア部材が割れるのを防止できる。
【発明の効果】
【００１９】
この発明によれば、基面部から腕部にかけて平坦面が広がるので真空吸引による吸着力が向上する。また、基面部からコア部材のコア脚側面のコア脚伸長方向に沿う腕部とは独立してコア組み合わせ部材固定片を構成でき、このコア組み合わせ部材固定片をコア部材のコア端面に沿って延びるように設けることによって、コア組み合わせ部材が低背化できる。さらに、回路基板に設けられているコア脚挿通用孔には腕部のみ挿入すればよいので、組み立てが容易となり製造コストが削減できる。
【発明を実施するための最良の形態】
【００２０】
《第１の実施形態》
図２は第１の実施形態に係るコイル装置８１の分解斜視図である。図３（Ａ）はコイル装置８１の平面図、図３（Ｂ）は図３（Ａ）におけるＢ−Ｂ部分の断面図である。図４はコア組み合わせ部材７１の部分斜視図である。図５は、コア部材の各面の名称を表している。
【００２１】
図２に示すように、回路基板４２にはコア脚挿通用孔１０ａ，１０ｂ，１０ｃが形成されている。このうち中央のコア脚挿通用孔１０ｂの周囲にはコイルパターン４３が形成されている。この例では断面Ｅ字型のコア部材５４ａ及び断面Ｉ字型のコア部材５４ｂを備えている。コア部材５４ａの３つのコア脚が上記コア脚挿通用孔１０ａ，１０ｂ，１０ｃに挿通され、コア部材５４ａとコア部材５４ｂとで回路基板４２が挟み込まれる。このコア部材５４ａとコア部材５４ｂはコア組み合わせ部材７１によって組み合わさった状態で固定され、且つ回路基板４２に対して固定される。
【００２２】
コア組み合わせ部材７１は、コア部材５４ａのコア外表平面を押圧する基面部６０と、この基面部６０からコア部材５４ａのコア脚側面のコア脚伸長方向に沿う腕部６１と、この腕部６１の先端に内向きに屈曲形成された、他方のコア部材５４ｂのコア外表平面を押圧して上記基面部６０との間に一対のコア部材（５４ａ，５４ｂ）を挟持する爪部６３と、基面部６０からコア端面方向へ突出するとともにコア部材５４ａのコア端面に沿って伸び、コア組み合わせ部材７１を回路基板４２に固定するコア組み合わせ部材固定片６２とを有している。
【００２３】
コア組み合わせ部材７１は、燐青銅等の弾性を有する金属板を打ち抜いて折り曲げ加工したものである。したがって腕部６１は弾性を有する。回路基板４２をコア部材５４ａ，５４ｂで挟み込んだ状態で、コア組み合わせ部材７１をコア部材５４ａ側から被せるとともに、腕部６１，６１を回路基板４２のコア脚挿通用孔１０ａ，１０ｃに挿入し、さらに押し込むことによって、爪部６３はコア部材５４ｂの下面（コア外表平面）に係合する。
【００２４】
図３（Ａ）に示すように、コア組み合わせ部材７１の腕部６１の幅寸法は回路基板４２に形成されたコア脚挿通用孔１０ａ，１０ｃの長手方向の寸法にほぼ等しい。これによりコア端面に対して垂直方向への位置決めがなされる。
【００２５】
図４は、コア組み合わせ部材７１の腕部６１の先端部を、図２に示した状態から裏返した状態での部分斜視図である。爪部６３の幅方向の両端には突起部６４，６４が設けられている。図３（Ｂ）に表れているように、爪部６３はコア部材５４ｂの下面（コア外表平面）に当接し、突起部６４，６４はコア部材５４ｂの２つのコア端面を挟み込む。
【００２６】
したがって、コア組み合わせ部材７１とコア部材（５４ａ，５４ｂ）はコア端面に対し垂直方向へ位置決めがなされる。すなわち、その方向にずれない。
【００２７】
なお、コイル装置８１の組み立て時、コイル装置８１のコア組み合わせ部材７１の上面に実装機の真空吸着ヘッドが当接したとき、使用時、のいずれにおいてもコア組み合わせ部材固定片６２の弾性により、コア部材５４ａ，５４ｂに対する衝撃が抑制される。そのため、コア部材５４ａ，５４ｂの割れなどを効果的に防止できる。
【００２８】
《第２の実施形態》
図６は、第２の実施形態に係るコイル装置に用いるコア組み合わせ部材７２の斜視図である。図２に示したコア組み合わせ部材７１と異なるのは、コア組み合わせ部材固定片６５の形状である。
【００２９】
図２ではコア組み合わせ部材固定片６２の先端部をわずかに屈曲させて回路基板４２の上面に面接触させるようしたが、図６に示すコア組み合わせ部材７２では、コア組み合わせ部材固定片６５の先端を回路基板に対して垂直方向を向く屈曲部６６として形成している。また、コア組み合わせ部材固定片６５の主要部は基面部６０とほぼ同一平面をなすように平坦にしている。
【００３０】
このような形状によって、コア組み合わせ部材７２の上面に平坦な領域が広く確保することができ、真空吸着装置でのハンドリング性が向上する。
【００３１】
《第３の実施形態》
図７は、第３の実施形態に係るコイル装置に用いるコア組み合わせ部材７３の分解斜視図である。第１・第２の実施形態と異なり、この第３の実施形態に係るコイル装置はコア組み合わせ部材７３と他方コア押圧部材７４とを備えている。コア部材５４ａ，５４ｂの構成及び回路基板４２の構成は第１・第２の実施形態で示したものと同様である。
【００３２】
コア組み合わせ部材７３は、コア部材５４ａのコア外表平面を押圧する基面部６０と、この基面部６０からコア部材５４ａのコア脚側面のコア脚伸長方向に沿う腕部６１と、この腕部６１の一部に突出形成された係合突起６７を有している。
【００３３】
一方、他方コア押圧部材７４は、コア部材５４ｂのコア外表平面を押圧する基面部６０と、この基面部６０からコア部材５４ａのコア脚側面のコア脚伸長方向に沿う腕部６１と、この腕部６１の一部に開口された係合穴６８を有している。
【００３４】
コア部材５４ａの３つのコア脚が回路基板４２のコア脚挿通用孔１０ａ，１０ｂ，１０ｃに挿通され、コア部材５４ａとコア部材５４ｂとで回路基板４２が挟み込まれる。このコア部材５４ａとコア部材５４ｂは、コア組み合わせ部材７３及び他方コア押圧部材７４が組み合わさった状態で固定され、且つ回路基板４２に対して固定される。
【００３５】
すなわち、コア組み合わせ部材７３及び他方コア押圧部材７４が組み合わさった状態で、コア組み合わせ部材７３の係合突起６７に他方コア押圧部材７４の係合穴６８が被さって係止される。この状態で、コア組み合わせ部材７３の基面部６０がコア部材５４ａの外表平面を押圧し、他方コア押圧部材７４の基面部６０がコア部材５４ｂの外表平面（図に示す状態で下面）を押圧する。
【００３６】
なお、図７に示した例では、コア組み合わせ部材７３側にのみコア組み合わせ部材固定片６５を設けたが、他方コア押圧部材７４側にも、コア組み合わせ部材固定片６５と同様のコア組み合わせ部材固定片を設けて、これらのコア組み合わせ部材固定片で回路基板４２を挟み込むようにしてもよい。
【図面の簡単な説明】
【００３７】
【図１】特許文献１に示されているコイル装置の断面図及び側面図である。
【図２】第１の実施形態に係るコイル装置８１の分解斜視図である。
【図３】図３（Ａ）はコイル装置８１の平面図、図３（Ｂ）は図３（Ａ）におけるＢ−Ｂ部分の断面図である。
【図４】コア組み合わせ部材７１の部分斜視図である。
【図５】コア部材の各面の名称を表す図である。
【図６】第２の実施形態に係るコイル装置に用いるコア組み合わせ部材７２の斜視図である。
【図７】第３の実施形態に係るコイル装置に用いるコア組み合わせ部材７３の分解斜視図である。
【符号の説明】
【００３８】
４２…回路基板
４３…コイルパターン
５４ａ，５４ｂ…コア部材
６０…基面部
６１…腕部
６２，６５…コア組み合わせ部材固定片
６３…爪部（係合部）
６４…突起部
６６…屈曲部
６７…係合突起（係合部）
６８…係合穴
７１，７２，７３…コア組み合わせ部材
７４…他方コア押圧部材
８１…コイル装置
【図１】
2010067626.tif 000003
【図２】
2010067626.tif 000004
【図３】
2010067626.tif 000005
【図４】
2010067626.tif 000006
【図５】
2010067626.tif 000007
【図６】
2010067626.tif 000008
【図７】
2010067626.tif 000009